(57)【特許請求の範囲】
【請求項１】
第１のセル（２０２）から第２のセル（２０４）へのハンドオフの間に少なくとも該第１のセル（２０２）及び該第２のセル（２０４）と通信する方法であって、
該第１のセル（２０２）だけが第１のチャネル品質情報（ＣＱＩ）を復号化できるように第１のセル特有符号を用いて符号化された該第１のＣＱＩを移動装置から送信するステップと、
該第２のセル（２０４）だけが第２のＣＱＩを復号化できるように該第１のセル特有符号とは異なる第２のセル特有符号を用いて符号化された該第２のＣＱＩを該移動装置から送信するステップと、
該第１のセル（２０２）及び該第２のセル（２０４）が該第１のＣＱＩと該第２のＣＱＩを復号化することができる時間間隔の間、該第１のセル（２０２）と該第２のセル（２０４）の双方からの情報をそれぞれ該移動装置で受信するステップとを含み、該時間間隔は、該第２のセル（２０４）が該第２のＣＱＩの第１の数の送信を首尾よく複合化した時点で開始し、該移動装置が該第２のセル（２０４）から事前選択された数（Ｌ）の伝送時間間隔（ＴＴＩ）を首尾よく受信して該第１のＣＱＩの送信を停止した後であって、且つ、該第１のセル（２０２）が該第１のＣＱＩを受信することに事前選択された数（Ｋ）だけ連続的に失敗した後に該移動装置（２００）へのデータの送信を停止した時点で終了することを特徴とする方法。
【請求項２】
請求項１に記載の方法において、
該第１のＱＣＩと該第２のＱＣＩを移動装置から送信するステップが、該第１のセルとの間の通信チャネル及び該第２のセルとの間の通信チャネルの品質を示す第１の信号及び第２の信号を送達するステップを含むことを特徴とする方法。
【請求項３】
請求項２に記載の方法において、
該第１のセルと該第２のセルの両方から要求を受信したことに応答して、該第１の信号及び該第２の信号を送達するのに使用される電力を低減するステップをさらに含むことを特徴とする方法。
【請求項４】
請求項２に記載の方法において、
該第２のセルから選択された数の伝送時間間隔内に送信された情報を首尾よく受信したことに応答して、該移動装置から該第１のセルへの該第１のＣＱＩの送信を停止するステップをさらに含み、該時間間隔は、該移動装置が該第１のＣＱＩの送信を停止したことに応答して、該第１のセルが該第１のＣＱＩの第２の数の送信の受信に失敗した時点で終了することを特徴とする方法。
【請求項５】
請求項２に記載の方法において、
該第１のセルとの間の通信チャネル及び該第２のセルとの間の通信チャネルの品質を示す該第１の信号及び該第２の信号を送達するステップが、第１及び第２の直交符号シーケンスを使用して該第１の信号及び該第２の信号を符号化するステップを含むことを特徴とする方法。
【請求項６】
請求項１に記載の方法において、
該第１のセル及び該第２のセルが該第１のＣＱＩ及び該第２のＣＱＩを同時に復号化することができる所定の期間、該第１のセルと該第２のセルから受信された情報をそれぞれ組み合わせるステップをさらに含み、該第１のセルと該第２のセルから受信された情報をそれぞれ組み合わせるステップは、第１のサブブロックと第２のサブブロックが情報の共通のブロックからのものであることを条件として、該第１のセルと該第２のセルからそれぞれ受信された情報の該第１のサブブロック及び該第２のサブブロックを組み合わせるステップを含むことを特徴とする方法。
【請求項７】
請求項１に記載の方法において、
該第１のセル及び該第２のセルから受信された該情報をそれぞれ組み合わせるステップが、Ｃｈａｓｅ結合を使用して該第１のセル及び該第２のセルからそれぞれ受信された情報の該第１のサブブロックと該第２のサブブロックを組み合わせるステップをさらに含むことを特徴とする方法。
【請求項８】
請求項１に記載の方法において、
該第１のセル及び該第２のセルから受信された該情報をそれぞれ組み合わせるステップが、第１のサブブロックと第２のサブブロックが共通の冗長度バージョンを有することを条件として、Ｃｈａｓｅ結合を使用して該第１のセル及び該第２のセルからそれぞれ受信された情報の該第１のサブブロックと該第２のサブブロックを組み合わせるステップをさらに含むことを特徴とする方法。
【請求項９】
請求項１に記載の方法において、
該第１のセル及び該第２のセルから受信された該情報をそれぞれ組み合わせるステップが、増分冗長度結合を使用して該第１のセル及び該第２のセルからそれぞれ受信された情報の第１のサブブロックと第２のサブブロックを組み合わせるステップをさらに含むことを特徴とする請求項６に記載の方法。
【発明の詳細な説明】
【技術分野】
【０００１】
本発明は、一般には遠隔通信に関し、より詳細にはワイヤレス通信に関する。
【背景技術】
【０００２】
周知の１ｘＥＶ−ＤＯ規格や１ｘＥＶ−ＤＶ規格などのワイヤレス・データ・システム、ならびにＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍｓ）規格でのＨＳＤＰＡ（Ｈｉｇｈ  Ｓｐｅｅｄ  Ｄｏｗｎｌｉｎｋ  Ｐａｃｋｅｔ  Ａｃｃｅｓｓ）仕様の発展において、（基地局から移動局への）順方向リンク・スケジューリング機能が無線ネットワーク・コントローラ（ＲＮＣ）から基地局（ＢＳ）に移動され、ユーザからのチャネル品質フィードバックに基づく「高速」スケジューリングが実現された。さらに、全システム容量を改善するために、適応変調及び符号化（ＡＭＣ）及びハイブリッドＡＲＱ（ＨＡＲＱ）が導入された。一般には、スケジューラは所与の時間に送信するユーザを選択し、適応変調及び符号化は、ユーザが見る現チャネル状態に対して適切な移送フォーマット（変調及び符号化）の選択を可能にする。チャネル品質推定でのエラーのために、所与のレート（移送フォーマット）で実施された伝送で比較的高いレベルのフレーム・エラーが生じる可能性がある。ハイブリッドＡＲＱは、高速再送信を利用し、新しく受信した伝送のコピーを以前に受信したコピーと組み合わせて、スループットを大幅に損なうことなく伝送エラーから回復する。
【０００３】
ＣＤＭＡセルラ・システムでは、移動局は、同一のセル局中のセル（ソフタ・ハンドオフ）、又は異なるセル局中のセル（ソフト・ハンドオフ）とのソフト・ハンドオフ状態でよい。音声又は回路交換型データ通信では、移動局は、アップリンク（移動局から基地局）とダウンリンク（基地局から移動局）のどちらでもソフト／ソフタ・ハンドオフ状態でよい。しかし、パケット・データ・サービスでは、移動局がダウンリンク上の最良のセルとだけ通信する場合に高い能力を達成できることがわかっている。ＳＳＤＴ（Ｓｉｔｅ  Ｓｅｌｅｃｔｉｏｎ  Ｄｉｖｅｒｓｉｔｙ  Ｔｒａｎｓｍｉｔ  ｐｏｗｅｒ  ｃｏｎｔｒｏｌ）と呼ばれるそのような手法がＵＭＴＳ（Ｕｎｉｖｅｒｓａｌ  Ｍｏｂｉｌｅ  Ｔｅｌｅｃｏｍｍｕｎｉｃａｔｉｏｎ  ｓｙｓｔｅｍ）規格で採用されている。ＳＳＤＴの場合、最大レート５００Ｈｚでシグナリングする物理層（ＤＰＣＣＨ）を使用するネットワークに最良のセルがレポートされる。ＳＳＤＴでは、移動局がアクティブ・セットからのセルのうち１つを「プライマリ」として選択する。その他のすべてのセルは「非プライマリ」として分類される。その主な目的は、プライマリ・セルからダウンリンク上で送信することであり、従って、ソフト・ハンドオーバ・モードでの複数の伝送によって引き起こされる干渉が低減される。第２のの目的は、ネットワーク介入なしに高速サイト選択を達成し、従ってソフト・ハンドオフの利点を維持することである。プライマリ・セルを選択するために、各セルに一時的識別（ＩＤ）が割り当てられ、移動局は、接続するセルにプライマリ・セルＩＤを周期的に送信する。移動局で選択された非プライマリ・セルはその送信出力をオフにし、それによって複数の送信による干渉が回避される。プライマリ・セルＩＤは、移動局によりアップリンク・フィードバック情報（ＦＢＩ）フィールドを介してアクティブ・セルに送達される。さらに、ＳＳＤＴ活動化、ＳＳＤＴ終了、及びセル識別（ＩＤ）割当てはすべて、上位層シグナリングによって実施される。
【０００４】
１ｘＥＶ−ＤＯや１ｘＥＶ−ＤＶなどのその他のワイヤレス規格は高速セル選択（ＦＣＳ）をサポートする。ＦＣＳ手法は、ＵＭＴＳでのＳＳＤＴ手法と同様である。例えば１ｘＥＶ−ＤＯシステムでは、ＤＲＣ（Ｄａｔａ  Ｒａｔｅ  Ｃｏｎｔｒｏｌ）チャネルが移動局によって使用され、選択されたサービング・セクタ及び要求された順方向トラフィック・チャネル上のデータ・レートがアクセス・ネットワークに示される。要求された順方向トラフィック・チャネル・データ・レートが４ビットＤＲＣ値にマッピングされる。選択されたサービング・セクタに対応する８−ａｒｙ  Ｗａｌｓｈ関数がＤＲＣチャネル伝送を拡散するのに使用される。８−ａｒｙ  Ｗａｌｓｈ関数は、選択されたセクタ（セル）だけが首尾よくＤＲＣを復号化できるように保証する。首尾よくＤＲＣを復号化したことは、そのセルが伝送のために選択されたことを示す。
【０００５】
１ｘＥＶ−ＤＯシステムでの高速セル選択プロセスの一例を図１に示す。移動局は、ＤＲＣをｃｅｌｌ−１にアドレス指定することにより、時刻Ｔ１とＴ２の間にｃｅｌｌ−１を選択する。時刻Ｔ２では、移動局は、ｃｅｌｌ−２に切り換えることを判断し、ｃｅｌｌ−２  Ｗａｌｓｈカバーを有するＤＲＣを送信する。ＤＲＣを首尾よく受信した後、ｃｅｌｌ−２は、移動局のスケジューリングを開始することができる。Ｗａｌｓｈカバーを使用することにより、選択されたセルだけがＤＲＣを首尾よく復号化することができ、その後で伝送のために移動局をスケジューリングすることができる。
【０００６】
一般には、移動局は、そのアクティブ・セット中のセルのいずれかをダウンリンク伝送のために選択することができる。アクティブ・セット中のセルは、ダウンリンクで受信される信号品質に基づいて追加及び削除される。遅延を低減するために、移動局行きのデータが、無線ネットワーク・コントローラ（ＲＮＣ）からバックホール・ネットワーク上のアクティブ・セット中のすべてのセルに転送される。次いでセルは、移動局がこのセルを選択するとすぐに移動局にデータを送信することができる。データがアクティブ・セット中のすべてのセルに転送されない場合、新しいセルが移動局への伝送を開始する前に、その新しいセルにデータを転送することに関連する追加の遅延が生じる可能性がある。
【０００７】
従来技術で使用されるセル選択手法では、移動局が、所与の時間に単一の基地局だけと通信する。所与の時間に単一の基地局だけに通信が限定されることにより、セル切換え中に通信が中断される。通信の中断により、データの紛失又は追加の遅延が生じる可能性があり、そのことは、ボイスオーバインターネット・プロトコル（ＶｏｌＰ）やワイヤレス・ワイヤレス・マルチパーティ・ゲームなどの遅延に敏感な応用例の性能に影響を及ぼす。
【発明の開示】
【発明が解決しようとする課題】
【０００８】
本発明は、上述の問題のうち１つ又は複数の効果を克服し、又は少なくとも低減することを対象とする。
【課題を解決するための手段】
【０００９】
本発明の一実施形態では、方法が提供される。この方法は、第１のセルと通信することから第２のセルと通信することに切り換えること、及び切換え中の事前選択された期間に第１のセルと第２のセルの両方から情報を受信することを含む。
【００１０】
本発明の別の実施形態では、方法が提供される。この方法は、第１のセルからのみ情報を受信すること、第１のセルと通信することから第２のセルと通信することに切り換えること、切換え中の事前選択された期間に第１のセルと第２のセルの両方から情報を受信すること、及び切換え後に第２のセルからのみ情報を受信することを含む。
【００１１】
本発明のさらに別の実施形態では、方法が提供される。この方法は、第１のセルを介して移動局と通信することから、第２のセルを介して移動局と通信することに切り換えること、及び切換え中の事前選択された期間に第１のセルと第２のセルの両方から情報を送信することを含む。
【００１２】
添付の図面と共に行われる以下の説明を参照することによって本発明を理解することができる。添付の図面では、同様の参照番号によって同様の要素が識別される。
本発明は様々な修正形態及び代替形態が可能であるが、本発明の特定の実施形態を例示によって図面に図示し、本明細書で詳細に説明する。しかし、本明細書の特定の実施形態の説明は本発明をその開示の特定の形態に限定するものではなく、逆に、添付の特許請求の範囲で定義される本発明の精神及び範囲内のすべての修正形態、均等物、及び代替形態を包含するものとする。
【図面の簡単な説明】
【００１３】
【図１】１ｘＥＶ−ＤＯシステムでの高速セル選択操作の絵画表現である。
【図２】移動局が２つのセルとの通信している場合のセル交換の絵画表現である。
【図３】ＨＳ−ＳＣＣＨを復号化し、ＨＳ−ＰＤＳＣＨをバッファリング及び復号化する移動局の絵画表現である。
【図４】本発明の一実施形態でのセル切換え操作の絵画表現である。
【図５Ａ】ＨＳ−ＤＰＣＣＨ  ＴＴＩの絵画表現である。
【図５Ｂ】ＣＱＩを符号化及びスクランブルするのに使用することができる方法の絵画表現である。
【図６】セル交換中のＨＳ−ＤＰＣＣＨ出力制御の絵画表現である。
【図７】移動局が通信中の２つのセルからのフレームを組み合わせることの絵画表現である。
【図８】移動局が通信中の２つのセルからのフレームを組み合わせる代替実施形態の絵画表現である。
【発明を実施するための形態】
【００１４】
以下で本発明の例示的実施形態を説明する。明確さのために、実際の実施態様のすべての特徴をこの明細書中で説明するわけではない。もちろん、そのような実際の実施形態の開発では、実施態様ごとに変化する、システム関係又はビジネス関係の制約などの開発者の特定の目標を達成するように多数の実施態様特有の判断を行うことができることを理解されよう。さらに、そのような開発の手間は複雑で時間がかかる可能性があるが、それでも本開示の特典を有する当業者にとっては定型的な作業となることを理解されよう。
【００１５】
本発明は、移動局がセル選択操作を実施すると共に比較的短期間に複数のセルと通信することのできる手法を開示する。さらに、セル切換えが行われる期間中に、各セルを組み合わせるハイブリッドＡＲＱを使用して性能を改善することができる。
【００１６】
本明細書で開示する実施形態ではＨＳＤＰＡシステムの状況で本発明を説明するが、本発明の原理が１ｘＥＶ−ＤＯ、１ｘＥＶ−ＤＶ、ＩＥＥＥ  ８０２．１６などの他のワイヤレス・システムにも当てはまることを当業者は理解されよう。移動局２００又はユーザ装置（ＵＥ）が２つのセル２０２、２０４と同時に通信する本発明の例示的実施形態が図２に示されている。セル２０２、２０４がタワーとして絵画的に示されているが、セルが一般には例えば基地局、ノードｂ、及びその他のトランシーバ構造を含む様々な構成要素から構成されることを当業者は理解されよう。セル選択プロセス中、移動局２００は、「旧セル」２０２と「新セル」２０４の両方から高速共有制御チャネル（ＨＳ−ＳＣＣＨ）及び高速物理ダウンリンク共有チャネル（ＨＳ−ＰＤＳＣＨ）を聴取する。移動局２００からチャネル品質標識（ＣＱＩ）とＡＣＫ／ＮＡＣＫフィードバックを共に搬送する高速専用物理制御チャネル（ＨＳ−ＤＰＣＣＨ）もセル２０２、２０４の両方で復号化される。
【００１７】
ＨＳ−ＳＣＣＨチャネルとＨＳ−ＰＤＳＣＨチャネルの間のタイミング関係を図３に示す。ＨＳ−ＳＣＣＨは、符号化及び変調、ハイブリッドＡＲＱ、制御などの制御情報を搬送する。ＨＳ−ＳＣＣＨ伝送時間間隔（ＴＴＩ）は、３つのスロット（２ｍｓ）からなる。第１のスロットは、チャネル化コード・セット（ＣＣＳ）及び変調情報を搬送する。ＨＳ−ＳＣＣＨの第１のスロット３００を受信した後、移動局２００はＨＳ−ＰＤＳＣＨのバッファリングを開始する。ＨＳ−ＰＤＳＣＨの復号化は、移動局２００がＨＳ−ＳＣＣＨのすべての３つのスロット３００〜３０４を受信した後にしか行われない。ＰＤＳＣＨ復号化に必要である可能性のあるその他の制御情報を残りの２つのスロット３０２、３０４で実施することができるからである。
【００１８】
本発明の一実施形態でのセル切換え操作の絵画表現を図４に示す。移動局２００は、そのアクティブ・セット中の旧セル２０２から新セル２０４へのセル選択を実施する。通常、移動局２００に関するデータはセル２０２、２０４をＲＮＣと接続するバックホール・ネットワーク上でセル２０２、２０４の両方に転送される。移動局２００が旧セル２０２と通信しているとき、チャネル品質フィードバック（ＣＱＩ）は、スロット４００〜４０２で示すように旧セル２０２だけを対象とする。移動局２００が新セル２０４に切り換えることを決定したとき、移動局２００は、スロット４０４、４０８、４１２、４１６で示すように、新セル３０４へのＣＱＩの送信を開始する。同時に、移動局２００は、スロット４０６、４１０、４１４、４１８で示すように、引き続き旧セル２０２にＣＱＩを送信する。移動局２００は、引き続き旧セル２０２からデータを受信するからである。２つのセル２０２、２０４に対するＣＱＩフィードバックは、スロット４０４〜４１８で示すように、同一のＨＳ−ＤＰＣＣＨチャネル上で時間多重化することができる。さらに、ＣＱＩの対象であるセルだけが復号化できるように、ＣＱＩ情報にスクランブルをかけることができ、又はセル特有のコードで覆うことができる。例えば、スロット４０８で送信されるＣＱＩを、新セル２０４はＣＱＩを適切に復号化することができるが旧セル２０２は復号化することができないように符号化することができる。新セル２０４が、事前選択された数（Ｊ）の首尾よく復号化されたＣＱＩを受信したとき、新セル２０４は、移動局２００へのデータの送信を開始する。この状態では、移動局２００は、旧セル２０２と新セル２０４の両方からデータを潜在的に受信することができる。新セル２０４から事前選択された数（Ｌ）の伝送時間間隔（ＴＴＩ）を首尾よく受信した後、移動局２００は、スロット４２０〜４２８で示すように、旧セル２０２へのＣＱＩの送信を停止する。次いで、旧セル２０２は、移動局２００からＣＱＩを受信することに事前選択された数（Ｋ）だけ連続的に失敗した後、移動局２００へのデータの送信を停止する。旧セル２０２は新セル２０４を対象とするＣＱＩを復号化できないことに留意されたい。そのＣＱＩ情報は、新セル２０４特有のコードでスクランブルがかけられているからである。
【００１９】
本発明の別の実施形態では、新セル２０４が移動局２００によってサービス・セルとして選択されたバックホール・ネットワークを介して、新セル２０４が旧セル２０２に信号を送信する。次いで旧セル２０２は、移動局２００へのデータの送信を停止することができる。もちろん、パラメータＪ、Ｋ、及びＬは、システムの特性に基づいて構成可能である。これらのパラメータの値は、例えば所望のセル選択信頼性のレベルに基づいて選ぶことができる。例えば、パラメータＫ（旧セル２０２が移動局２００へのデータの送信を停止する前の連続的なＣＱＩの失敗）の値が小さいと、あるケースでは浪費される資源が少なくなるが、ある応用例では、ＣＱＩチャネル上に何らかの不定期のエラーが生じた場合に、移動局２００がどちらかのセルからデータを受信しない可能性がある。逆に、Ｋパラメータの値が大きいと、セル選択操作の信頼性の確率が高まるが、ある応用例では資源が浪費される可能性がある。
【００２０】
本発明の一実施形態では、ＨＳＤＰＡでのチャネル品質フィードバックが５つの情報ビットからなる。この５ビット・チャネル品質標識が（２０，５）コードを使用して符号化され、図５Ａに示すように、ＨＳ−ＤＰＣＣＨ  ＴＴＩで２つのスロット５００、５０２を介して伝送される。
【００２１】
ＣＱＩの符号化及びスクランブルの一例を図５Ｂに示す。ブロック５０４でのチャネル符号化後の２０ビットＣＱＩシーケンスと、２０ビット・スクランブル・シーケンス５０８との排他的論理和が５０６で取られる。本発明の一実施形態では、５ビット・セルＩＤ５１０を別の（２０，５）コード５１２と共に符号化することによってスクランブル・シーケンスを生成することができる。次いで、符号化及びスクランブル後のＣＱＩシーケンス５１４をＨＳ−ＤＰＣＣＨスロット５００、５０２上で送信することができる。セルＩＤを使用して生成されたセル特有のスクランブル・シーケンスでＣＱＩにスクランブルがかけられるので、対象となるセルだけがＣＱＩを復号化することができる。
【００２２】
ＨＳ−ＤＰＣＣＨ出力制御の絵画的表現を図６に示す。ＨＳ−ＤＰＣＣＨチャネルは、ＣＱＩ及びＡＣＫ／ＮＡＣＫフィードバックを搬送する。ＡＣＫ／ＮＡＣＫ情報は、ダウンリンク上のハイブリッドＡＲＱ伝送についてのフィードバックを提供する。移動局２００が旧セル２０２と新セル２０４の両方と通信する期間に、ＨＳ−ＤＰＣＣＨを介して搬送される情報がセル２０２、２０４の両方で確実に受信される場合にこれは有用である。例えばＣＱＩ情報は、ＨＳ−ＰＤＳＣＨ変調と、符号化方式選択と、セル２０２、２０４の両方から伝送するためのダウンリンク上のＨＳ−ＳＣＣＨ出力の割振りのために使用される。従って、ＣＱＩは、セル２０２、２０４の両方で確実に受信される必要がある。アップリンクの通常のソフト・ハンドオフ出力制御操作では、移動局２００は、ＤＯＷＮ規則のＯＲを使用して、伝送中に移動局２００で使用される出力量を制御する。すなわち、時間スロット４００〜４０２及び４２０〜４２８の間などにアクティブ・セット中のセルのいずれかが出力ダウン・コマンドを送信した場合に出力が低減される。ソフト・ハンドオフに伴う概念は、アップリンク上で複数のセルから受信された伝送が選択を通過してＲＮＣで結合されるので、少なくとも１つのセルが所与の時間にアップリンク上で送信された情報を確実に受信する必要があるというものである。一般に、少なくとも１つのセル上で首尾よく伝送が行われる限り、情報は首尾よく受信される。しかし、セル選択の間、新セル２０４と旧セル２０２の両方でＣＱＩを確実に受信する必要がある。従って、ＵＰ規則のＯＲをＨＳ−ＤＰＣＣＨ出力制御に対して設定することができ、すなわち、２つのセルのいずれか（旧セル２０２又は新セル２０４）が時間スロット４０４〜４１８の間などにＵＰコマンドを送信している場合、移動局２００は、その送信出力を増大させることができる。これにより、ＨＳ−ＤＰＣＣＨがセル２０２、２０４の両方で確実に受信される可能性が高まる。
【００２３】
旧セル２０２及び新セル２０４からのフレームを組み合わせることの一例を図７に示す。伝送シーケンス番号（ＴＳＮ）から導出される短伝送シーケンス番号（ＳＴＳＮ）を使用して、異なる情報ブロックを識別することができる。一般に、同一の情報ブロックに属するサブブロック、すなわち同一のＴＳＮ又は同一のＳＴＳＮを有するサブブロックについて組合せが実施される。ＨＳ−ＳＣＣＨを介して搬送されるＳＴＳＮがＴＳＮの代わりに使用され、ＨＳ−ＳＣＣＨ上のオーバヘッドが低減される。２つのセル２０２、２０４からのサブブロックが同時に（７００で示す同一のＴＴＩ内で）受信される場合、それらを組み合わせ、伝送が成功したか、それとも失敗したかに応じて、単一のＡＣＫ又はＮＡＣＫ信号を送信することができる。同一の情報ブロックからのサブブロックを移動局２００で同時に受信する必要がないことにも留意されたい。移動局２００は、セル２０２、２０４のどちらかから受信した、不成功の古いサブブロックをバッファリングすることができ、格納したサブブロックを、同一のＳＴＳＮで示される同一の情報ブロックから新しく受信したサブブロックと組み合わせることができる。７０２で示すように２つのブロックが同一の冗長度バージョン（ＲＶ）を含む場合、受信したサブブロックに対してＣｈａｓｅ結合操作を実施することができる。しかし、７０４で示すように２つのセルからのサブブロックが異なるＲＶを含む場合、増分冗長度（ＩＲ）型のハイブリッドＡＲＱ結合を実施することができる。
【００２４】
移動局２００が異なるＳＴＳＮを有するサブブロックを受信する本発明の別の実施形態を図８に示す。異なるＳＴＳＮを有するサブブロックは、異なる情報ブロックからのものであり、一般には、復号化プロセスでは結合されない。従って、８００で示すように、移動局２００は、異なるＳＴＳＮで別々に受信されたサブブロックを復号化し、伝送が成功したか、それとも失敗したかに応じて、ＡＣＫ信号又はＮＡＣＫ信号を送り戻す。しかし、現在受信したサブブロックと同一のＳＴＳＮを有する以前に格納されたサブブロックが存在する場合、ハイブリッドＡＲＱ結合をやはり実施することができる。８０２で示すように、２つのサブブロックが異なるＳＴＳＮで２つのセル２０２、２０４から同時に受信された場合、移動局２００は、２つのサブブロックのそれぞれが成功した場合にのみＡＣＫ信号を送信することができる。そうでない場合、サブブロックの一方が成功した場合であってもＮＡＣＫ信号が送信される。これは、単一のＡＣＫ／ＮＡＣＫ信号を所与の時間で所与の受信したＴＴＩに送信することができるからである。次いで、ＡＣＫ／ＮＡＣＫ信号が２つのセル２０２、２０４で受信される。２つのＡＣＫ／ＮＡＣＫ信号を同時に送信する機能が利用可能である場合、セル２０２、２０４のそれぞれから受信された各サブブロックについて別々のＡＣＫ／ＮＡＣＫ信号を送信することができる。
【００２５】
本明細書の様々な実施形態で示した様々なシステム層、ルーチン、モジュールが実行可能制御ユニットでよいことを当業者は理解されよう。制御ユニットは、マイクロプロセッサ、マイクロコントローラ、デジタル信号プロセッサ、プロセッサ・カード（１つ又は複数のマイクロプロセッサ又はコントローラを含む）、あるいはその他の制御装置又はコンピューティング装置、ならびに１つ又は複数の記憶装置内に含まれる実行可能命令を含むことができる。記憶装置は、データ及び命令を格納する１つ又は複数の機械可読記憶媒体を含むことができる。記憶媒体は、動的又は静的ランダム・アクセス・メモリ（ＤＲＡＭ又はＳＲＡＭ）、消去可能及びプログラム可能プログラマブル読取り専用メモリ（ＥＰＲＯＭ）、電気消去可能及びプログラム可能読取り専用メモリ（ＥＥＰＲＯＭ）、フラッシュ・メモリなどの半導体メモリ装置、固定ディスク、フロッピィ・ディスク、取外し可能ディスクなどの磁気ディスク、テープを含むその他の磁気媒体、ならびにコンパクト・ディスク（ＣＤ）又はデジタル・ビデオ・ディスクなどの光媒体を含む様々な形態のメモリを含むことができる。様々なシステム内の様々なソフトウェア層、ルーチン、モジュールを構成する命令を、それぞれの記憶装置に格納することができる。命令がそれぞれの制御ユニットで実行されたとき、命令は、対応するシステムにプログラムした動作を実施させる。
【００２６】
本発明を修正し、本明細書の教示の特典を有する当業者には明らかである、異なるが等価な方式で本発明を実施することができるので、上記で開示した特定の実施形態は単なる例に過ぎない。さらに、添付の特許請求の範囲に記載しているものを除き、図示した本明細書の構成又は設計の詳細に限定されない。従って、上記で開示した特定の実施形態を変更又は修正でき、そのようなすべての変形形態は本発明の範囲及び精神内にあるとみなされることは明らかである。従って、本明細書で追求する保護は添付の特許請求の範囲に記載される。
【図１】
0005642216.tif 000002
【図２】
0005642216.tif 000003
【図３】
0005642216.tif 000004
【図４】
0005642216.tif 000005
【図５Ａ】
0005642216.tif 000006
【図５Ｂ】
0005642216.tif 000007
【図６】
0005642216.tif 000008
【図７】
0005642216.tif 000009
【図８】
0005642216.tif 000010